(57)【要約】【課題】端子台カバー４４０を完全に外すことなく電源ケーブル５００を端子台に接続するようにして、作業性を改善する。【解決手段】照明器具１０００は、電源ケーブル５００を接続する端子台４３０と、端子台４３０の外部電線接続口４３１が露出するように端子台取付窓４１１が形成された点灯装置ケース４１０と、端子台取付窓４１０を覆う端子台カバー４４０と、端子台カバー４４０を可動可能に点灯装置ケース４１０へ取り付ける可動支持具４４３と、可動支持具４４３によって支持された点灯装置ケース４１０が可動するのを規制して、点灯装置ケース４１０に固定する固定具４４４を備える。【選択図】          図１０
2018195499.tif 000002
【特許請求の範囲】
【請求項１】
電源ケーブルを接続する外部電線接続口を有する端子台と、
光源を点灯させる点灯回路と、
前記点灯装置と前記端子台を格納し、前記外部電線接続口が露出するように端子台取付窓が形成された点灯装置ケースと、
前記端子台取付窓を覆う端子台カバーと、
前記端子台カバーを可動可能に前記点灯装置ケースへ取り付ける可動支持具と、
前記可動固定具によって支持された前記点灯装置ケースが可動するのを規制して、前記端子台カバーを前記点灯装置ケースに固定する固定具と、
を備えることを特徴とする照明器具。
【請求項２】
前記可動支持具は、前記端子台カバーがスライド可動するように支持することを特徴とする請求項１に記載の照明器具。
【請求項３】
前記可動支持具は、前記端子台カバーが回転動作するように支持することを特徴とする請求項１に記載の照明器具。
【発明の詳細な説明】
【技術分野】
【０００１】
本発明は、照明器具の電源端子台の接続部分を保護する技術に関する。
【背景技術】
【０００２】
従来、多目的ホール、体育館又は工場等の高天井に取り付けられ床面や壁面等を照らす天井等から吊り下げて設置されるＬＥＤ（Ｌｉｇｈｔ  Ｅｍｉｔｔｉｎｇ  Ｄｉｏｄｅ）を光源とした照明器具が知られている。このような照明器具には、端子台カバーで覆われた商用電源を接続する端子台を備えている。
【０００３】
例えば、特許文献１、２には、端子台カバーで覆われた電源ケーブルが接続する端子台の構成が記載されている。
【先行技術文献】
【特許文献】
【０００４】
【特許文献１】特開２０１６−２０７２９０号公報
【特許文献２】特開２０１６−４７２０号公報
【発明の概要】
【発明が解決しようとする課題】
【０００５】
このような照明器具の設置の際は、照明器具を天井等に取り付けた後、端子台カバーを一旦取り外し、天井の孔から導出された又は天井に沿って引き回された電源ケーブルを端子台に接続した後、端子台カバーを再度、ねじ等で取り付ける作業が必要となる。照明器具の端子台カバーは、取り外した際の落下を防止するため、照明器具本体と落下防止ワイヤーで接続されていることが多い。
上述の設置作業を高所で行う場合、端子台カバーの取り外し及び取付けは、落下事故がないよう作業を慎重に行う必要があるため時間を要する。更に、取り外した端子台カバーを一旦、本体等に置くことにより、照明器具に傷をつけてしまうおそれがある。
【０００６】
そこで本発明は、端子台カバーを完全に取り外すことなく、点灯装置ケースに取り付けたまま電源ケーブルを端子台に接続できるようにするとともに、端子台カバーを可動させて端子台を覆うようにすることにより、作業性を改善した照明器具を提供することを目的とする。
【課題を解決するための手段】
【０００７】
本発明の照明器具は、電源ケーブルを接続する外部電線接続口を有する端子台と、光源を点灯させる点灯回路と、前記点灯装置と前記端子台を格納し、前記外部電線接続口が露出するように端子台取付窓が形成された点灯装置ケースと、前記端子台取付窓を覆う端子台カバーと、前記端子台カバーを可動可能に前記点灯装置ケースへ取り付ける可動支持具と、前記可動支持具によって支持された前記点灯装置ケースが可動するのを規制して、前記端子台カバーを前記点灯装置ケースに固定する固定具と、を備える。
【発明の効果】
【０００８】
端子台カバーを点灯装置ケースから取り外すことなく、電源ケーブルを端子台の外部電線接続口に接続することができるとともに、電源ケーブルを端子台の外部電線接続口に接続した後は、端子台カバーで再び端子台の外部電線接続口を覆うことにより、外部電線接続口に塵埃が蓄積するのを抑制することができる。
【図面の簡単な説明】
【０００９】
【図１】実施の形態１における照明器具を示す斜視図である。
【図２】図１の照明器具を他の角度から見た状態を示す斜視図である。
【図３】図１の照明器具から端子台カバーを外した状態を示す拡大斜視図である。
【図４】図１の照明器具の端子台カバーを示す斜視図である。
【図５】図４の端子台カバーを他の角度から見た状態を示す斜視図である。
【図６】図４の端子台カバーのベースカバー部を示す斜視図である。
【図７】図６のベースカバー部を他の角度から見た状態を示す斜視図である。
【図８】図４の端子台カバーの可動カバー部を示す斜視図である。
【図９】図８の可動カバー部を他の角度から見た状態を示す斜視図である。
【図１０】実施の形態１における照明器具に電源ケーブルを取り付ける前の状態を示す斜視図である。
【図１１】実施の形態１における照明器具に電源ケーブルを取り付ける過程を示す斜視図である。
【図１２】実施の形態１における照明器具に電源ケーブルを取り付けた状態を示す斜視図である。
【図１３】実施の形態２における照明器具の端子台カバーの周辺を拡大した斜視図である。
【図１４】実施の形態２における照明器具に電源ケーブルを取り付ける過程を示す斜視図である。
【図１５】実施の形態２における照明器具に電源ケーブルを取り付けた状態を示す斜視図である。
【図１６】図１５の照明器具を正面から見たときの正面図である。
【図１７】実施の形態２における照明器具の変形例を示す正面図である。
【図１８】実施の形態２における照明器具の他の変形例を示す正面図である。
【図１９】実施の形態３における照明器具の端子台カバーの周辺を拡大した斜視図である。
【図２０】実施の形態３における照明器具に電源ケーブルを取り付ける過程を示す斜視図である。
【図２１】実施の形態４における照明器具の端子台カバーの周辺を拡大した斜視図である。
【図２２】図２１の端子台カバーを示す斜視図である。
【図２３】実施の形態４における照明器具に電源ケーブルを取り付ける過程を示す斜視図である。
【図２４】実施の形態４における照明器具に電源ケーブルを取り付けた状態を示す斜視図である。
【発明を実施するための形態】
【００１０】
実施の形態１．
本実施の形態の照明器具の各構成について、図１〜図９を用いて説明する。
照明器具１０００は、光源部１００と、この光源部１００が取り付けられた本体２００と、この本体２００に取り付けられ、天井などの被取付部に取り付けられる取付部３００と、本体２００に取り付けられ、光源部１００に電力を供給する点灯装置４００を備える。なお、図１に示す電源ケーブル５００は外部から引き込まれ、点灯装置４００に接続されて商用電源を供給する電線である。
【００１１】
光源部１００は、本体２００に取り付けられるものであり、光源である発光ダイオード１１０と、発光ダイオード１１０が発する光を反射して配光制御する反射部１２０と、反射部１２０が取り付けられ、本体２００に固定される光透過性カバー１３０を備える。なお、発光ダイオード１１０と反射部１２０は、光透過性カバー１３０で覆われているため、図２には図示していない。
【００１２】
本体２００は、光源部１００の発光ダイオード１１０と光透過性カバー１３０が取り付けられる光源取付部２１０と、この光源取付部２１０に取り付けられ、発光ダイオード１１０が発熱した熱を放熱する放熱部２２０と、放熱部２２０を囲うように光源取付部２１０に設けられたシャーシ部２３０と、このシャーシ部２３０の光源取付部２１０と反対側である上部に取り付けられた天板２４０を備える。
【００１３】
取付部３００は、コの字形状（あるいはＵの字形状）に折り曲げられて形成され、その両端にボルトなどの締結具によって本体２００が取り付けられる。なお、照明器具１００００を天井などの被取付部に取り付ける際、取付部３００のほかに、図に示すように落下防止帯３１０を取り付ける場合がある。この落下防止帯３１０は、災害などの予期しないトラブルなどにより、天井などの被取付部から照明器具１０００が落下するのを防止するためものである。
【００１４】
点灯装置４００は、本体２００の上部の天板２４０に取り付けられる。
点灯装置４００は、点灯装置ケース４１０と、点灯装置ケース４１０に格納された点灯回路４２０及び端子台４３０と、点灯装置ケース４１０に取り付けられた端子台カバー４４０を備える。なお、点灯回路４２０は、点灯装置ケース４１０に覆われているため、図示していない。
【００１５】
点灯装置ケース４１０は、一面が開口した箱状のケースであり、ケースを形成する面の少なくとも一面には、端子台４３０を露出させるための開口（端子台取付窓４１１）が形成される。
【００１６】
点灯回路４２０は、端子台４３０を介して商用電源から供給される電力によって発光ダイオード１１０を点灯させる。
【００１７】
端子台４３０は、商用電源の供給を受けるための電源ケーブル５００が接続される外部電線接続口４３１と、点灯回路４２０へ接続するための内部配線が接続される内部電線接続口４３２と、点灯装置ケース４１０などに固定するための固定部４３３を備える。なお、内部電線接続口４３２と固定部４３３は、点灯装置ケース４１０に覆われているため、図示していない。
【００１８】
端子台カバー４４０は、点灯装置ケース４１０の端子台取付窓４１１の近傍に取り付けられるベースカバー部４４１と、このベースカバー部４４１に取り付けられ、端子台４３０の外部電線接続口４３１を覆う可動カバー部４４２と、可動カバー部４４２をスライド可能にベースカバー部４４１に固定する可動支持具４４３と、可動カバー部４４２がスライドしないように、ベースカバー部４４１に固定する固定具４４４を備える。
【００１９】
ベースカバー部４４１は、点灯装置ケース４１０の天面に固定される取付部４４１ａと、取付部４４１ａの一端から折り曲げられて形成され、点灯装置ケース４１０の側面（端子台取付窓４１１の側方）を覆う第一の保護部４４１ｂと、第一の保護部４４１ｂから折り曲げられて形成され、固定具４４４が取り付けられる固定部４４１ｃと、取付部４４１の他端から折り曲げられて形成された側面部４４１ｄを有する。
【００２０】
取付部４４１ａは、点灯装置ケース４１０にネジ、リベットなどにより、固定するための固定穴４４１ａａと、可動ケース部４４２をスライド可能に不完全ネジ、リベットなどの可動支持具４４３により固定される支持具取付穴４４１ａｂとが形成される。
【００２１】
第一の保護部４４１ｂは、一部が切りかかれており、電源ケーブル５００を引き込むための電線挿通部４４１ｂａが形成されている。なお、電線挿通部４４１ｂａに折り曲げ加工を施したり、保護テープを貼るなどして電線挿通部４４１ｂａの角部（エッジ）が電源ケーブル５００に当たらないようにすると、電源ケーブル５００の外表面に傷が付くのを防止（抑制）することができる。
【００２２】
固定部４４１ｃには、可動カバー部４４２がスライドするのを規制するように、可動カバー部４４２をネジなどの固定具４４４によって締結するためのネジ穴（固定具取付穴４４１ｃａ）が形成される。
【００２３】
可動カバー部４４２は、天面部４４２ａと、天面部４４２ａから折り曲げられて形成され、端子台４３０の外部電線接続口４３１（端子台取付窓４１１）に正対する部分をカバーする正面部４４２ｂと、正面部４４２ｂから折り曲げられて形成され、ベースカバー部４４１の第一の保護部４４１ｂに対向する面を保護する第二の保護部４４２ｃと、荘園部４４２ｂから折り曲げられて形成し、天面部４４２ａと対向するように設けられた底面部４４２ｄが形成される。
【００２４】
天面部４４２ａは、可動支持具４４３が挿入される長穴４４２ａａが形成される。
【００２５】
正面部４４２ｂは、端部から切りかかれ、固定具４４４が挿入される切欠穴４４２ｂａが形成される。
第二の保護部４４２ｃは、ベースカバー部４４１の側面部４４１ｄと組み合わさって、端子台カバー４４０の側部を保護する。
【００２６】
底面部４４２ｄは、正面部４４２ｄから折り曲げ加工されることにより、正面部４４２ｂの剛性を上げるとともに、可動カバー部４４２がスライドする際に、天板２４０に面接触することによりスムーズにスライドするようにする機能を有する。
【００２７】
次に、照明器具１０００（主に端子台カバー４４０）の組み立てについて説明する。
まず、放熱部２２０が取り付けられた光源取付部２１０にシャーシ部２３０を取り付け、このシャーシ部２３０に天板２４０を取り付け、本体２００を組み立てる。
【００２８】
組み立てた本体２００の光源取付部２１０に、ソケットなどを用いて発光ダイオード１１０を取り付けるとともに、反射部１２０が取り付けられた光透過性カバー１３０を取り付ける。このように、本体２００に光源部１００を取り付ける。
【００２９】
次に、点灯装置ケース４１０に、点灯回路４２０とこの点灯回路４２０と内部配線で接続された端子台４３０を組み込む。この際、端子台取付窓４１１から端子台４３０の外部電線接続口４３１を露出させる。この状態の点灯装置ケース４１０を本体２００の天板２４０の上部に固定する。
【００３０】
次に、ベースカバー部４４１の取付部４４１ａに可動カバー部４４２を載せ、可動カバー部４４２の天面部４４２ａに開けられた長穴４４２ａａ及び支持具取付穴４４１ａｂに可動支持具４４３を挿入する。この可動支持具４４３によって、可動カバー部４４２をベースカバー部４４１にスライド可能に取り付けることができる。さらに、固定具４４４を切欠穴４４２ｂａ及び固定穴４４１ａａに挿入してねじ込むことにより、ベースカバー部４４１に取り付けた可動カバー部４４２がスライドしないように締結させることができる。
【００３１】
次に天板２４０に取り付けた点灯装置ケース４１０の端子台取付窓４１１の近傍にベースカバー部４４１を取り付けることにより、端子台カバー４４０を点灯装置ケース４１０に取り付ける。
【００３２】
最後に、取付部３００をボルトなどにより本体２００に取り付けて照明器具１０００を組み立てる。
【００３３】
次に、図１０〜図１２を用いて、端子台４３０に電源ケーブル５００を取り付ける取付工程について説明する。
【００３４】
電源ケーブル５００を取付ける際、施工者は先ず、固定具４４４を緩め、端子台カバー４３０の可動カバー部４４２を図１１に示す開状態まで摺動させ、端子台４３０の外部電線接続口４３１を露出させる。
【００３５】
次に端子台４３０に電源ケーブル５００を挿入した後、可動カバー部４４２を図１２に示す閉状態まで摺動させ、外部電線接続口４３１を可動カバー部４４２で覆う。最後に固定具４４４を締め、可動カバー部４４２が摺動しないようにベースカバー部４４１に固定して、電源ケーブル５００の取付作業が終了する。
【００３６】
このように、本実施の形態では、従来の端子台カバーのように端子台カバー４３０を取り外し取付けすることなく、可動カバー部４４２を摺動させることにより、外部電線接続口４３１を露出させ電源ケーブル５００を挿入することができる。照明器具１０００を天井などに取り付ける作業は高所作業となるため、端子台カバー４３０の脱着作業においては外した部品が落下しないように外した部品を固定する作業などが必要であるが、本実施の形態の端子台カバー４３０は脱着する必要がなくなるため、施工時の作業性が改善され、作業時間が短縮される。取り付ける照明器具１０００の台数が多い場合は更に従来型の端子台カバーに比べ有用である。
【００３７】
また、固定具４４４のネジを緩めたり締めたりする作業を、照明器具１０００の側面方向から行なうことができるので、施工者が目視確認をしながら作業を行なうことができる。
【００３８】
実施の形態２．
実施の形態１の端子台カバーは、２つの部品で構成する場合について説明したが、本実施の形態では、実施の形態１と異なり、１つの部品で端子台カバー２０３を形成するものである。
本実施の形態において、実施の形態１と同様の構成については、同符号を付して説明を省略する場合がある。
【００３９】
本実施の形態の照明器具及び端子台カバーの構造について、図１３を用いて説明する。
図１３において、端子台カバー６００は直方体の形状であり、点灯装置ケース４１０に取り付けられたとき、端子台４３０の外部電線接続口４３１（端子台取付窓４１１）に正対する正面部６１０と、この正面部６１０から折り曲げられ、点灯装置ケース４１０の上面と連なるように形成された天面部６２０と、この天面部６２０の両側から、本体２００の天面部６２０に向かって折り曲げられて形成された第一の保護部６３０、第二の保護部６４０を有する。
【００４０】
第一の保護部６３０は、さらに、点灯装置ケース４１０に沿うように折り曲げられて形成された支持片６３１を有する。
【００４１】
支持片６３１は、可動支持具４４３が挿入される支持具取付穴６３１ａが形成される。
【００４２】
第二の保護部６４０は、電源ケーブル５００が挿通される電線挿入部６４１が形成され、点灯装置ケース４１０に沿うように折り曲げられて形成された固定片６４２を有する。
【００４３】
固定片６４２は、端部から切り込まれた切欠部６４２ａが形成される。
【００４４】
このように、端子台カバー６００は、１つの部品で構成するため、ネジ止め、リベット止めなどの組み立て工程を少なくすることができ、製造がし易く、安価である。
【００４５】
次に、端子台カバー６００を点灯装置ケース４１０に取り付けられた状態について説明する。
【００４６】
端子台カバー６００が外部電線接続口４３１（端子台取付窓４１１）を覆うように、支持片６３１及び固定片６４２を点灯装置ケース４１０に押し当てる。
【００４７】
この状態で、可動支持具４４３（例えば、リベット）を支持具取付穴６３１ａに挿入し、端子台カバー６００がこの可動支持具４４３を軸に回転可能な状態で点灯装置ケース４１０に固定する。この際、支持片６３１と点灯装置ケース４１０との間にプラスチック製のスペーサを介在させて、可動支持具４４３を貫通させると、端子台カバー６００を回転動作させたときに、点灯装置ケース４１０に傷が付くのを防止することができ、また、端子台カバー６００の回転動作をスムーズにすることができる。
【００４８】
次に、固定具４４４を切欠部６４２ａに挿入し、固定具４４４が点灯装置ケース４１０にねじ込まれることにより、固定片６４２を点灯装置ケース４１０に締結し、端子台カバー６００が回転するのを規制する。
【００４９】
次に、図１４、図１５を用いて、端子台４３０に電源ケーブル５００を取り付ける取付工程について説明する。
図１４は、本実施の形態における端子台カバー６００の開状態を示しており、図１５は、本実施の形態における端子台カバー６００の閉状態を示している。
【００５０】
電源ケーブル５００を取付ける際、施工者は先ず、固定具４４４を緩め、端子台カバー６００を図１４に示す開状態まで回転させ、端子台４３０の外部電線接続口４３１を露出させる。次に端子台４３０に電源ケーブル５００を挿入した後、端子台カバー６００を図１５に示す閉状態まで回転させ、外部電線接続口４３１を端子台カバー６００で覆う。最後に固定具４４４を締め、端子台カバー６００が回転動作しないように点灯装置ケース４１０に固定して、電源ケーブル５００の取付作業が終了する。
【００５１】
なお、電源ケーブル５００が端子台カバー６００に噛みこむことを防止する目的で、クランプにより電源ケーブル５００を天板２４０に固定する構成としてもよい。クランプを設けることにより、施工時に電源ケーブル５００をクランプに固定する手間が増えるものの、電源ケーブル５００を端子台４３０に挿入し、端子台カバー６００を図１５に示す閉状態にする作業性が向上させることができる。
【００５２】
また、光源部１００が下向きとなるように照明器具１０００を設置した場合、端子台カバー６００の回転動作は、上下方向に対するものであるので、端子台カバー６００を点灯装置ケース４１０に固定する際、端子台カバー６００の加重が点灯装置ケース４１０に向かって掛かるため、端子台カバー６００が点灯装置ケース４１０の所定の位置に収まりやすくすることができる。
【００５３】
また、固定具４４４のネジを緩めたり締めたりする作業を、照明器具１０００の側面方向から行なうことができるので、施工者が目視確認をしながら作業を行なうことができる。
【００５４】
また、端子台カバー６００の上面をひさし状に延長した形状としてもよい。このように構成することにより、端子台カバー６００の上面（ひさし部分）が点灯装置ケース４１０の上面に重なるので、端子台カバー６００と点灯装置ケース４１０との隙間から端子台カバー６００の内部、特に、端子台４３０の外部電線接続口４３１に、ほこりやごみが侵入するのを抑制することができる。
【００５５】
また、図１７のように支持片６５０を端子台カバー６００の高さの中段くらいに位置するように形成してもよく、あるいは、図１８のように、支持片６６０を端子台カバー６００の高さの上端くらいに位置するように形成してもよい。
【００５６】
実施の形態３．
本実施の形態は、実施の形態２の端子台カバーの回転方向を変更したものである。本実施の形態において、実施の形態１及び２に記載の構成と同じ構造については、同符号を付し説明を省略する。
【００５７】
本実施の形態の照明器具及び端子台カバーの構造について、図１９を用いて説明する。
図１９は、本実施の形態における端子台カバー７００の開状態を示している。
【００５８】
図１９において、端子台カバー７００は直方体の形状であり、点灯装置ケース４１０に取り付けられたとき、端子台４３０の外部電線接続口４３１（端子台取付窓４１１）に正対する正面部７１０と、この正面部７１０から折り曲げられ、点灯装置ケース４１０の上面と連なるように形成された天面部７２０と、この天面部７２０の両側から、本体２００の天面部７２０に向かって折り曲げられて形成された第一の保護部７３０、第二の保護部７４０を有する。
【００５９】
天面部７２０は、可動支持具４４３が挿入される支持具取付穴７２１と端部から切り込まれた切欠部７２２が形成される。
【００６０】
第二の保護部７４０は、電源ケーブル５００が挿通される電線挿入部７４１が形成される。
【００６１】
このように、端子台カバー７００は、１つの部品で構成するため、ネジ止め、リベット止めなどの組み立て工程を少なくすることができ、製造がし易く、安価である。
【００６２】
次に、図１９を用いて、端子台カバー７００を点灯装置ケース４１０に取り付けられた状態について説明する。
【００６３】
端子台カバー７００が外部電線接続口４３１（端子台取付窓４１１）を覆うように、端子台カバー７００を点灯装置ケース４１０に押し当てる。このとき、端子台カバー７００の天面部７２０の一部が点灯装置ケース４１０の上面に重なった状態となる。
【００６４】
この状態で、可動支持具４４３（例えば、リベット）を支持具取付穴７２１に挿入し、端子台カバー７００がこの可動支持具４４３を軸に回転可能な状態で点灯装置ケース４１０に固定する。この際、天面部７２０（支持具取付穴７２１近傍）と点灯装置ケース４１０の上面との間にプラスチック製のスペーサを介在させて、可動支持具４４３を貫通させると、端子台カバー７００を回転動作させたときに、点灯装置ケース４１０に傷が付くのを防止することができ、また、端子台カバー７００の回転動作をスムーズにすることができる。
【００６５】
次に、図２０を用いて電源ケーブル５００を端子台４３０に接続する工程について説明する。
図２０は、本実施の形態における端子台カバー７００の開状態を示している。
【００６６】
電源ケーブル５００を取付ける際、施工者は先ず、固定具４４４を緩め、端子台カバー７００を点灯装置ケース４１０手前方向（図２０のＡ方向）に回転動作させ、端子台４３０の外部電線接続口４３１を露出させる。
【００６７】
電源ケーブル５００を電線挿入部７４１に通した後、端子台４３０に電源ケーブル５００を挿入する。その後、端子台カバー７００を点灯装置ケース４１０に接触させた閉の状態まで回転させ、外部電線接続口４３１を端子台カバー７００で覆う。最後に固定具４４４を締め、端子台カバー７００が回転しないように点灯装置ケース４１０に固定して、電源ケーブル５００の取付作業が終了する。
【００６８】
本実施の形態では、固定具４４４が端子台カバー７００の上方にあるため、照明器具１０００を見下ろすようにして作業すると、容易に電源ケーブル５００の取付作業を行なうことができる。
【００６９】
このように、回転の軸となる可動支持具４４３が点灯装置ケース４１０の角部近傍であるため、端子台カバー７００を回転動作させ易い。また、切欠部７２２の切り欠き形状を、少なくとも端子台カバー７００の回転動作するときの固定具４４４の軌跡に合わせると、端子台カバー７００をスムーズに回転動作させることができ、端子台カバー７００を点灯装置ケース４１０側に回転動作させるとき、切欠部７２２が固定具４４４をガイドすることができる。
【００７０】
実施の形態４．
本実施の形態は、実施の形態３の端子台カバーの回転方向を変更したものである。本実施の形態において、実施の形態１〜３に記載の構成と同じ構造については、同符号を付し説明を省略する。
【００７１】
本実施の形態の照明器具及び端子台カバーの構造について図２１、図２２を用いて説明する。
【００７２】
図２１、図２２において、端子台カバー８００は直方体の形状であり、点灯装置ケース４１０に取り付けられたとき、端子台４３０の外部電線接続口４３１（端子台取付窓４１１）に正対する正面部８１０と、この正面部８１０から折り曲げられ、点灯装置ケース４１０の上面と連なるように形成された天面部８２０と、この天面部８２０の両側から、本体２００の天面部８２０に向かって折り曲げられて形成された第一の保護部８３０、第二の保護部８４０を有する。
【００７３】
天面部８２０は、天板２４０に接触する部分に突出するような形状の支持具取付片８２１を有する
【００７４】
支持具取付片８２１には、可動支持具４４３が挿入される長穴が形成される。そのため、実施の形態１〜３の支持具取付穴と異なり、本実施の形態の支持具取付穴８２１は、可動支持具４４３を軸として端子台カバー８００を回転させることができるほか、端子台カバー８００を支持取付穴８２１と第二の保護部８４０を結ぶ方向にスライド可動させることができるようにするための機能を有する。
【００７５】
第二の保護部８４０は、端部から切り込まれた切欠部８２１と、電源ケーブル５００が挿通される電線挿入部８４２が形成される。
【００７６】
次に、図２３、図２４を用いて電源ケーブル５００を端子台４３０に取り付ける作業工程について説明する。
図２３は、本実施の形態における端子台カバー８００の開状態を示しており、図２４は本実施の形態における端子台カバー８００の閉状態を示している。
【００７７】
電源ケーブル５００を取付ける際、施工者はまず、固定具４４４を緩める。端子台カバー４３０を回転させようとすると固定具４４４側の板金である第二の保護部８４０が、点灯装置カバー４１０と干渉する。可動支持具４３０が留めている支持具取付穴８２１を利用することにより、干渉している板金を引き出して摺動させ、その後、回転させることができる。このようにして、端子台４３０の外部電線接続口４３１を露出させる。
【００７８】
電源ケーブル５００を端子台４３０の外部電線接続口４３１に電源ケーブル５００を挿入する。その後、端子台カバー８００を点灯装置ケース４１０に接触させた閉の状態まで回転させ、電線挿入部８４１に通すとともに、外部電線接続口４３１を端子台カバー８００で覆う。最後に固定具４４４を締め、端子台カバー８００が摺動したり、回転したりしないように、点灯装置ケース４１０に固定して、電源ケーブル５００の取付作業が終了する。
【００７９】
本実施の形態では、端子台カバー４３０の開口部の側に設けられた固定具４４４を緩めることにより、電源ケーブル５００の接続作業を行うことができるため、照明器具１０００の側面方向から施工者が目視確認をすることができ、作業性を向上させることができる
【符号の説明】
【００８０】
１０００  照明器具、１００  光源部、１１０  発光ダイオード、１２０  反射部、１３０  光透過性カバー、２００  本体、２１０  光源取付部、２２０  放熱部、２３０  シャーシ部、２４０  天板、３００  取付部、３１０  落下防止具、４００  点灯装置、４１０  点灯装置ケース、４１１  端子台取付窓、４２０  点灯回路、４３０  端子台、４３１  外部電線接続口、４３２  内部電線接続口、４３３  固定部、４４０  端子台カバー、４４１  ベースカバー部、４４１ａ  取付部、４４１ａａ  固定穴、４４１ａｂ  支持具取付穴、４４１ｂ  第一の保護部、４４１ｂａ  電線挿通部、４４１ｃ  固定部、４４１ｃａ  固定具取付穴、４４１ｄ  側面部、４４２  可動カバー部、４４２ａ  天面部、４４２ａａ  長穴、４４２ｂ  正面部、４４２ｂａ  切欠穴、４４２ｃ  第二の保護部、４４２ｄ  底面部、４４３  可動支持具、４４４  固定具、５００  電源ケーブル、６００  端子台カバー、６１０  正面部、６２０  天面部、６３０  第一の保護部、６３１  支持片、６３１ａ  支持具取付穴、６４０  第二の保護部、６４１  電線挿入部、６４２  固定片、６４２ａ  切欠部、６５０  第一の保護部、６６０  第一の保護部、７００  端子台カバー、７１０  正面部、７２０  天面部、７２１  支持具取付穴、７２２  切欠部、７３０  第一の保護部、７４０  第二の保護部、７４１  電線挿入部、８００  端子台カバー、８１０  正面部、８２０  天面部、８２１  支持具取付片、８２１ａ  支持具取付穴、８３０  第一の保護部、８４０  第二の保護部、８４１  切欠部、８４２  電線挿入部。
【図１】
2018195499.tif 000003
【図２】
2018195499.tif 000004
【図３】
2018195499.tif 000005
【図４】
2018195499.tif 000006
【図５】
2018195499.tif 000007
【図６】
2018195499.tif 000008
【図７】
2018195499.tif 000009
【図８】
2018195499.tif 000010
【図９】
2018195499.tif 000011
【図１０】
2018195499.tif 000012
【図１１】
2018195499.tif 000013
【図１２】
2018195499.tif 000014
【図１３】
2018195499.tif 000015
【図１４】
2018195499.tif 000016
【図１５】
2018195499.tif 000017
【図１６】
2018195499.tif 000018
【図１７】
2018195499.tif 000019
【図１８】
2018195499.tif 000020
【図１９】
2018195499.tif 000021
【図２０】
2018195499.tif 000022
【図２１】
2018195499.tif 000023
【図２２】
2018195499.tif 000024
【図２３】
2018195499.tif 000025
【図２４】
2018195499.tif 000026